(57)【要約】      （修正有）【課題】携帯性に優れる眼鏡ケース付携帯電話端末、眼鏡ケース付携帯電話端末用カバーおよび眼鏡ケースを提供する。【解決手段】眼鏡ケース付携帯電話端末１は、上下方向の長さＬ１ａが１２ｃｍ以上１９ｃｍ以下、左右方向の長さＬ２ａが５ｃｍ以上１０ｃｍ以下、厚さが１．５ｃｍ以下の扁平な携帯電話端末２と、折り畳み状態での厚みが５ｍｍ以下の眼鏡５を収納する収納部を有し、携帯電話端末２の裏面に取付手段を介して取り付けられた眼鏡ケース３とを備え、眼鏡ケース３の上下方向の長さＬ１ｂは、携帯電話端末２の上下方向の長さＬ１ａと同一、または、それよりも小さく、眼鏡ケース３の左右方向の長さＬ２ｂは、携帯電話端末２の左右方向の長さＬ２ａよりも小さく、眼鏡ケース３の厚みは、眼鏡５を収納した状態で、携帯電話端末２の厚みと同一、または、それよりも小さい。【選択図】図１
0003213759.tif 000002
【実用新案登録請求の範囲】
【請求項１】
上下方向の長さが１２ｃｍ以上１９ｃｍ以下、左右方向の長さが５ｃｍ以上１０ｃｍ以下、厚さが１．５ｃｍ以下の扁平な携帯電話端末と、
折り畳み状態での厚みが５ｍｍ以下の眼鏡を収納する収納部を有し、前記携帯電話端末の裏面に取付手段を介して取り付けられた眼鏡ケースとを備え、
前記眼鏡ケースの上下方向の長さは、前記携帯電話端末の上下方向の長さと同一、または、それよりも小さく、
前記眼鏡ケースの左右方向の長さは、前記携帯電話端末の左右方向の長さよりも小さく、
前記眼鏡ケースの厚みは、前記眼鏡を収納した状態で、前記携帯電話端末の厚みと同一、または、それよりも小さい、眼鏡ケース付携帯電話端末。
【請求項２】
前記取付手段は、前記携帯電話端末の裏面と前記眼鏡ケースとを接着する粘着テープである、請求項１に記載の眼鏡ケース付携帯電話端末。
【請求項３】
前記眼鏡ケースは、前記眼鏡を出し入れするために上方が開口している、請求項１または２に記載の眼鏡ケース付携帯電話端末。
【請求項４】
前記眼鏡ケースの材質は、皮革素材である、請求項１〜３のいずれかに記載の眼鏡ケース付携帯電話端末。
【請求項５】
前記携帯電話端末の裏面には、カメラのレンズが露出しており、前記携帯電話端末の縦方向中心線を境にして、その一方側に前記レンズが位置しており、
前記眼鏡ケースは、前記携帯電話端末の他方側に片寄って取り付けられている、請求項１〜４のいずれかに記載の眼鏡ケース付携帯電話端末。
【請求項６】
指を差し込むためのリング部と、前記リング部を前記携帯電話端末の裏面に固定する固定部とを含む指掛け部をさらに備え、
前記リング部は、前記携帯電話端末の裏面と平行になる折り畳み状態と、前記携帯電話端末の裏面から立ち上がる起立状態との間を傾動可能であり、
前記固定部は、前記携帯電話端末の一方側に位置している、請求項５に記載の眼鏡ケース付携帯電話端末。
【請求項７】
上下方向の長さが１２ｃｍ以上１９ｃｍ以下、左右方向の長さが５ｃｍ以上１０ｃｍ以下、厚さが１．５ｃｍ以下の扁平な携帯電話端末の裏面全体を覆う眼鏡ケース付携帯電話端末用カバーであって、
折り畳み状態での厚みが５ｍｍ以下の眼鏡を収納する収納部を有し、当該カバーの裏面に取付手段を介して取り付けられた眼鏡ケースを備え、
前記眼鏡ケースの上下方向の長さは、前記携帯電話端末の上下方向の長さと同一、または、それよりも小さく、
前記眼鏡ケースの左右方向の長さは、前記携帯電話端末の左右方向の長さよりも小さく、
前記眼鏡ケースの厚みは、前記眼鏡を収納した状態で、前記携帯電話端末の厚みと同一、または、それよりも小さい、眼鏡ケース付携帯電話端末用カバー。
【請求項８】
前記眼鏡ケースは、前記眼鏡を出し入れするために上方が開口しており、
前記眼鏡ケースの材質は、皮革素材である、請求項７に記載の眼鏡ケース付携帯電話端末用カバー。
【請求項９】
カメラのレンズを露出するための穴部をさらに備える、請求項７または８に記載の眼鏡ケース付携帯電話端末用カバー。
【請求項１０】
上下方向の長さが１２ｃｍ以上１９ｃｍ以下、左右方向の長さが５ｃｍ以上１０ｃｍ以下、厚さが１．５ｃｍ以下の扁平な携帯電話端末の裏面、または、前記携帯電話端末の裏面を覆う眼鏡ケース付携帯電話端末用カバーに取り付けられる眼鏡ケースであって、
当該眼鏡ケースの裏面に貼られた粘着テープと、前記粘着テープ上に貼られた剥離紙とを備え、
当該眼鏡ケースの上下方向の長さは、前記携帯電話端末の上下方向の長さと同一、または、それよりも小さく、
当該眼鏡ケースの左右方向の長さは、前記携帯電話端末の左右方向の長さよりも小さく、
当該眼鏡ケースの厚みは、前記眼鏡を収納した状態で、前記携帯電話端末の厚みと同一、または、それよりも小さい、眼鏡ケース。
【考案の詳細な説明】
【技術分野】
【０００１】
この考案は、眼鏡ケース付携帯電話端末、眼鏡ケース付携帯電話端末用カバーおよび眼鏡ケースに関する。
【背景技術】
【０００２】
実用新案登録第３０１７２８３号公報（特許文献１）には、眼鏡ケース本体を取付手段で所望の場所に取り付けることが可能な眼鏡ケースが開示されている。実用新案登録第３２０１９９３号公報（特許文献２）には、ルーペまたは耳掛け部を有さない老眼鏡を収容することができる収容空間を形成したスマートフォンのケースが開示されている。
【０００３】
一方で、特開２００９−６９３５６号公報（特許文献３）には、本や雑誌に挟むことができ、携帯性に優れた薄型メガネが開示されている。
【先行技術文献】
【特許文献】
【０００４】
【特許文献１】実用新案登録第３０１７２８３号公報
【特許文献２】実用新案登録第３２０１９９３号公報
【特許文献３】特開２００９−６９３５６号公報
【考案の概要】
【考案が解決しようとする課題】
【０００５】
特許文献１の眼鏡ケースは、所望の場所に取り付けることができるが、厚みを有するため携帯性には適さない。また、特許文献２のスマートフォンケースでは、収納部が小さいため耳掛け部を有する眼鏡を収納することができない。一方、特許文献３の薄型メガネは、たとえば、スマートフォンなどの携帯電話端末を使用する場合に、バッグなどから薄型メガネを取り出す必要があり、携帯電話端末を使用した後は、再度バッグに薄型メガネを収納する必要があり、煩わしい。
【０００６】
本考案は、上記のような課題を解決するためになされたものであって、その目的は、携帯性に優れる眼鏡ケース付携帯電話端末、眼鏡ケース付携帯電話端末用カバーおよび眼鏡ケースを提供することを目的とする。
【課題を解決するための手段】
【０００７】
本考案の一態様に係る眼鏡ケース付携帯電話端末は、上下方向の長さが１２ｃｍ以上１９ｃｍ以下、左右方向の長さが５ｃｍ以上１０ｃｍ以下、厚さが１．５ｃｍ以下の扁平な携帯電話端末と、折り畳み状態での厚みが５ｍｍ以下の眼鏡を収納する収納部を有し、携帯電話端末の裏面に取付手段を介して取り付けられた眼鏡ケースとを備え、眼鏡ケースの上下方向の長さは、携帯電話端末の上下方向の長さと同一、または、それよりも小さく、眼鏡ケースの左右方向の長さは、携帯電話端末の左右方向の長さよりも小さく、眼鏡ケースの厚みは、眼鏡を収納した状態で、携帯電話端末の厚みと同一、または、それよりも小さい。
【０００８】
好ましくは、取付手段は、携帯電話端末の裏面と眼鏡ケースとを接着する粘着テープである。
【０００９】
好ましくは、眼鏡ケースは、眼鏡を出し入れするために上方が開口している。
【００１０】
好ましくは、眼鏡ケースの材質は、皮革素材である。
【００１１】
好ましくは、携帯電話端末の裏面には、カメラのレンズが露出しており、携帯電話端末の縦方向中心線を境にして、その一方側にレンズが位置しており、眼鏡ケースは、携帯電話端末の他方側に片寄って取り付けられている。
【００１２】
好ましくは、指を差し込むためのリング部と、リング部を携帯電話端末の裏面に固定する固定部とを含む指掛け部をさらに備え、リング部は、携帯電話端末の裏面と平行になる折り畳み状態と、携帯電話端末の裏面から立ち上がる起立状態との間を傾動可能であり、固定部は、携帯電話端末の一方側に位置している。
【００１３】
本考案の一態様に係る眼鏡ケース付携帯電話端末用カバーは、上下方向の長さが１２ｃｍ以上１９ｃｍ以下、左右方向の長さが５ｃｍ以上１０ｃｍ以下、厚さが１．５ｃｍ以下の扁平な携帯電話端末の裏面全体を覆う眼鏡ケース付携帯電話端末用カバーであって、折り畳み状態での厚みが５ｍｍ以下の眼鏡を収納する収納部を有し、カバーの裏面に取付手段を介して取り付けられた眼鏡ケースを備え、眼鏡ケースの上下方向の長さは、携帯電話端末の上下方向の長さと同一、または、それよりも小さく、眼鏡ケースの左右方向の長さは、携帯電話端末の左右方向の長さよりも小さく、眼鏡ケースの厚みは、眼鏡を収納した状態で、携帯電話端末の厚みと同一、または、それよりも小さい。
【００１４】
好ましくは、眼鏡ケースは、眼鏡を出し入れするために上方が開口しており、眼鏡ケースの材質は、皮革素材である。
【００１５】
好ましくは、カメラのレンズを露出するための穴部をさらに備える。
【００１６】
本考案の一態様に係る眼鏡ケースは、上下方向の長さが１２ｃｍ以上１９ｃｍ以下、左右方向の長さが５ｃｍ以上１０ｃｍ以下、厚さが１．５ｃｍ以下の扁平な携帯電話端末の裏面、または、携帯電話端末の裏面を覆う眼鏡ケース付携帯電話端末用カバーに取り付けられる眼鏡ケースであって、眼鏡ケースの裏面に貼られた粘着テープと、粘着テープ上に貼られた剥離紙とを備え、眼鏡ケースの上下方向の長さは、携帯電話端末の上下方向の長さと同一、または、それよりも小さく、眼鏡ケースの左右方向の長さは、携帯電話端末の左右方向の長さよりも小さく、眼鏡ケースの厚みは、眼鏡を収納した状態で、携帯電話端末の厚みと同一、または、それよりも小さい。
【考案の効果】
【００１７】
本考案によれば、携帯性に優れる眼鏡ケース付携帯電話端末、眼鏡ケース付携帯電話端末用カバーおよび眼鏡ケースを提供することができる。
【図面の簡単な説明】
【００１８】
【図１】本考案の実施の形態１に係る眼鏡ケース付携帯電話端末の背面図である。
【図２】本考案の実施の形態１に係る眼鏡ケース付携帯電話端末の底面図である。
【図３】（ａ）は眼鏡ケースの正面図であり、（ｂ）は眼鏡ケースの背面図である。
【図４】図３のＩＶ−ＩＶ線に沿う断面図である。
【図５】本考案の実施の形態２に係る眼鏡ケース付携帯電話端末の背面図である。
【図６】本考案の実施の形態２に係る眼鏡ケース付携帯電話端末の底面図である。
【考案を実施するための形態】
【００１９】
本考案の実施の形態について図面を参照しながら詳細に説明する。なお、図中同一または相当部分には同一符号を付してその説明は繰り返さない。
【００２０】
＜実施の形態１＞
図１〜図４を参照して、眼鏡ケース付携帯電話端末１について説明する。図１において、矢印Ａ１で示す方向を上下方向（縦方向）といい、矢印Ａ２で示す方向を左右方向という。図２において、矢印Ａ３で示す方向を厚さ方向という。
【００２１】
眼鏡ケース付携帯電話端末１は、携帯電話端末２と、携帯電話端末２の裏面に取付手段４を介して取り付けられた眼鏡ケース３とを備える。
【００２２】
携帯電話端末２は、たとえば、ウェブサイトの閲覧、メールの送受信などを行うことが可能なスマートフォンである。携帯電話端末２は、扁平な形状である。具体的な寸法は、携帯電話端末２の上下方向の長さＬ１ａが、１２ｃｍ以上１９ｃｍ以下であり、好ましくは１３ｃｍ以上１６ｃｍ以下である。携帯電話端末２の左右方向の長さＬ２ａは、５ｃｍ以上１０ｃｍ以下であり、好ましくは７ｃｍ以上８ｃｍ以下である。携帯電話端末２の厚さＬ３ａは、１．５ｃｍ以下であり、好ましくは、０．７ｃｍ以上１．０ｃｍ以下である。
【００２３】
携帯電話端末２は、たとえば、カメラの機能を有し、携帯電話端末２の裏面にはカメラのレンズ２１が露出している。レンズ２１は、携帯電話端末２の裏面の上下方向（縦方向）中心線を境にして、その一方側に位置している。図１に示すように、本実施の形態のレンズ２１は、携帯電話端末２の左側上方位置に設けられている。
【００２４】
眼鏡ケース３は、眼鏡５を収納する収納部３０を有し、携帯電話端末２の裏面に取付手段４を介して取り付けられている。
【００２５】
眼鏡ケース３もまた扁平な形状である。具体的には、眼鏡ケース３の上下方向の長さＬ１ｂは、携帯電話端末２の上下方向の長さＬ１ａと同一、または、それよりも小さい。眼鏡ケース３の左右方向の長さＬ２ｂは、携帯電話端末２の左右方向の長さＬ２ａよりも小さい。眼鏡ケース３の厚みＬ３ｂは、眼鏡５を収納した状態で、携帯電話端末２の厚みＬ３ａと同一、または、それよりも小さい。
【００２６】
眼鏡ケース３の材質は、たとえば、皮革素材であり、ステンレス、アルミ、メタルなどの金属素材、ゴム素材などであってもよい。図４に示すように、眼鏡ケース３は、重ね合わされた表側シート３１および裏側シート３２により形成される。表側シート３１および裏側シート３２は、下方および左右両端が縫い付けられているが、上方が縫い付けられていない。眼鏡ケース３は、上方が開口しているため、収納部３０に収納した眼鏡５を上方から取り出すことができる。また、眼鏡５を取り出しやすくするために、表側シート３１の上方右側角部は湾曲状に切り取られており、フラップが設けられていない。
【００２７】
なお、図１に示すように、収納部３０に収納される眼鏡５は、グラスを含む眼鏡本体５１と、眼鏡本体５１の両端に取り付けられる一対の耳掛け部５２とを備える。眼鏡５は、折り畳み可能に設けられ、折り畳み状態での厚みは５ｍｍ以下であり、３ｍｍ以下であることが好ましい。
【００２８】
取付手段４は、たとえば、携帯電話端末２の裏面と眼鏡ケース３の裏側シート３２とを接着する粘着テープ４１である。取付手段４は、携帯電話端末２に接着されていない状態では、粘着テープ４１上に剥離紙４２が貼られている。眼鏡ケース３を携帯電話端末２に接着させるには、粘着テープ４１から剥離紙４２を外し、粘着テープ４１を携帯電話端末２の裏面に直接貼り付ける。なお、取付手段４は、たとえば、磁石、面ファスナーなどであってもよい。
【００２９】
上述のように、カメラのレンズ２１は、携帯電話端末２の裏面の上下方向（縦方向）中心線を境にして、携帯電話端末２の左側上方位置に設けられている。そのため、眼鏡ケース３は、カメラのレンズ２１と重ならない位置に片寄って取り付けられることが好ましい。本実施の形態の眼鏡ケース３は、携帯電話端末２の裏面の右側に設けられている。
【００３０】
なお、携帯電話端末２の裏面には、携帯電話端末２を傷付けないようにするために透明なフィルムが貼り付けられていてもよい。その場合、眼鏡ケース３は、粘着テープ４１を介して透明なフィルムに貼り付けられる。
【００３１】
このような構成により、眼鏡ケース３の厚みは、携帯電話端末２と同じか、その厚みよりも小さいため嵩張らない。さらに、眼鏡ケース３の上下方向の長さおよび左右方向の長さは、携帯電話端末２のその長さよりも小さいため、携帯電話端末２の裏面に眼鏡ケース３が取り付けられていても、携帯電話端末２の表面（ディスプレイ）側から眼鏡ケース３が視認されないため、携帯電話端末２自体の美観を損なうことがない。
【００３２】
また、眼鏡ケース３に眼鏡５を収納して、携帯電話端末２とともに眼鏡５を所持しておけば、スマートフォンのディスプレイに表示される細かい文字や画像を見る際に、すぐに眼鏡５を取り出すことができる。眼鏡５を使用しない場合には、携帯電話端末２の眼鏡ケース３に収納するだけでよく、眼鏡５と携帯電話端末２とを常に一緒に所持することができるため、携帯性に優れる。
【００３３】
＜実施の形態２＞
図５，図６を参照して、本実施の形態に係る眼鏡ケース付携帯電話端末１Ａの構成例について説明する。以下に実施の形態１に示した眼鏡ケース付携帯電話端末１との相違点のみ詳細に説明する。
【００３４】
眼鏡ケース付携帯電話端末１Ａは、携帯電話端末２の裏面に、眼鏡ケース３と指掛け部６が取り付けられている。指掛け部６は、指を差し込むためのリング部６１と、リング部６１を携帯電話端末２の裏面に固定する固定部６２とを含む。リング部６１は、携帯電話端末２の裏面と平行になる折り畳み状態と、携帯電話端末２の裏面から立ち上がる起立状態との間を傾動可能である。指掛け部６は、眼鏡ケース３が取り付けられていない位置、すなわち、携帯電話端末２の左側に片寄って取り付けられている。固定部６２のサイズによっては、指掛け部６の固定部６２は、眼鏡ケース３の一部分と重なっていてもよい。
【００３５】
このような構成により、リング部６１に指を入れて、携帯電話端末２を手でつかむことで、眼鏡ケース付携帯電話端末１Ａの落下を防止することができる。また、リング部６１を使用しないときは、リング部６１を折り畳み状態にし、リング部６１と携帯電話端末１Ａの裏面との間、または、リング部６１と固定部６２との間で眼鏡ケース３を挟むことができる。
【００３６】
なお、実施の形態１，２において、眼鏡ケース３は携帯電話端末２の裏面に取り付けられ、眼鏡ケース付携帯電話端末１，１Ａとして提供されるとしたが、眼鏡ケース３単体として提供してもよい。その際、眼鏡ケース３の取付手段は、粘着テープ４１であり、粘着テープ４１上には剥離紙４２が貼られている。
【００３７】
また、実施の形態１，２において、眼鏡ケース付携帯電話端末１として提供されるとしたが、眼鏡ケース付携帯電話端末用カバーとして提供してもよい。この場合、眼鏡ケース付携帯電話端末用カバーは、携帯電話端末の裏面全体を覆うカバーを有し、カバーの裏面に眼鏡ケースが取り付けられていればよい。カバーには、携帯電話端末のカメラのレンズを露出させるための孔部が形成されていてもよい。
【００３８】
以上、図面を参照してこの考案の実施の形態を説明したが、この考案は、図示した実施の形態のものに限定されない。図示した実施の形態に対して、この考案と同一の範囲内において、あるいは均等の範囲内において、種々の修正や変形を加えることが可能である。
【符号の説明】
【００３９】
１，１Ａ  眼鏡ケース付携帯電話端末、２  携帯電話端末、３  眼鏡ケース、４  取付手段、５  眼鏡、２１  レンズ、３０  収納部、３１  表側シート、３２  裏側シート、４１  粘着テープ、４２  剥離紙、５１  眼鏡本体、５２  耳掛け部、６１  リング部、
６２  固定部。
【図１】
0003213759.tif 000003
【図２】
0003213759.tif 000004
【図３】
0003213759.tif 000005
【図４】
0003213759.tif 000006
【図５】
0003213759.tif 000007
【図６】
0003213759.tif 000008